(57)【要約】【課題】ガス、防災又は防犯機器に接続され、ガス、防災又は防犯機器が外部との間で授受する信号を無線で送受信する際に、ガス、防災又は防犯機器の動作状態履歴や無線装置の動作状態履歴を保存することができる無線装置を提供すること。【解決手段】機器の動作状態を示す報知信号を出力するガス、防災又は防犯機器４，６に接続され、該ガス、防災又は防犯機器４，６から入力される報知信号の示す内容に相当する報知データを無線で送信し、他の無線装置から送信された報知データを無線で受信して該ガス、防災又は防犯機器４，６へ出力する無線装置であって、報知信号の入力時に報知信号の示すガス、防災又は防犯機器４，６の動作状態の内容、および／又は無線装置の無線通信回数データを、履歴データとして保存する履歴データ保存手段Ａを備えている。【選択図】図１
2007087376.tif 000002
【特許請求の範囲】
【請求項１】
機器の動作状態を示す報知信号を出力するガス、防災又は防犯機器に接続され、該ガス、防災又は防犯機器から入力される前記報知信号の示す内容に相当する報知データを無線で送信し、他の無線装置から送信された前記報知データを無線で受信して該ガス、防災又は防犯機器へ出力する無線装置であって、
前記報知信号の入力時に前記報知信号の示す前記ガス、防災又は防犯機器の動作状態の内容、および／又は前記無線装置の無線通信回数データを、履歴データとして保存する履歴データ保存手段を備える、
ことを特徴とする無線装置。
【請求項２】
無線通信により受信される外部からの履歴要求信号に呼応して、前記履歴データ保存手段により保存された前記履歴データを外部に無線通信により送信する履歴データ送信手段をさらに備えることを特徴とする請求項１記載の無線装置。
【発明の詳細な説明】
【技術分野】
【０００１】
本発明は、ガス、防災又は防犯機器に接続され、ガス、防災又は防犯機器が外部との間で授受する信号を無線で送受信する無線装置に関するものである。
【背景技術】
【０００２】
近年、ガス、防災又は防犯機器、例えばガス漏れ警報器の警報状態の発生時にそれを履歴データとして内部に記憶させておき、後日これを活用できるようにする技術のように（例えば特許文献１）、ガス漏れ警報器等の警報器の分野では、履歴管理の幅を拡げるために、警報器が行う警報状態の監視結果や診断した故障の発生結果等を、履歴データとして内部に記憶させておく技術が種々提案されている。
【特許文献１】特開２００５−２０８８８５号公報
【発明の開示】
【発明が解決しようとする課題】
【０００３】
しかしながら、上述したガス漏れ警報器の履歴データのように、警報器が内部に記憶させておく履歴データは、発生した警報状態や故障状態をパルス等の波形パターンで表現したものであることから、そのまま警報器から取り出しても、発生した警報状態や故障状態を直接認識することができず、何らかの解析を加える必要があった。
【０００４】
また、ガス漏れ警報器や火災警報器のような、警報状態の検出時に該警報状態の内容を示す報知信号を出力すると共に報知信号の示す警報状態を報知する警報器に接続され、該警報器から入力される報知信号の示す内容に相当する報知データを無線で送信し、他の無線装置から送信された報知データを無線で受信して該警報器へ出力する無線装置が提案されているが、このような無線装置においては、警報器の警報状態の内容を示す報知信号の送受信を行うものの、接続されている警報器の履歴や、無線装置自体の動作履歴を持つものがなかった。
【０００５】
本発明は前記事情に鑑みなされたもので、本発明の目的は、ガス、防災又は防犯機器に接続され、ガス、防災又は防犯機器が外部との間で授受する信号を無線で送受信する際に、ガス、防災又は防犯機器の動作状態履歴や無線装置の動作状態履歴を保存することができる無線装置を提供することにある。
【課題を解決するための手段】
【０００６】
上記目的を達成するために請求項１に記載した本発明の無線装置は、図１の基本構成図に示すように、機器の動作状態を示す報知信号を出力するガス、防災又は防犯機器４，６に接続され、該ガス、防災又は防犯機器４，６から入力される前記報知信号の示す内容に相当する報知データを無線で送信し、他の無線装置から送信された前記報知データを無線で受信して該ガス、防災又は防犯機器４，６へ出力する無線装置であって、前記報知信号の入力時に前記報知信号の示す前記ガス、防災又は防犯機器４，６の動作状態の内容、および／又は前記無線装置の無線通信回数データを、履歴データとして保存する履歴データ保存手段Ａを備えることを特徴とする。
【０００７】
また、請求項２に記載した本発明の無線装置は、請求項１に記載した本発明の無線装置において、無線通信により受信される外部からの履歴要求信号に呼応して、前記履歴データ保存手段Ａにより保存された前記履歴データを外部に無線通信により送信する履歴データ送信手段Ｂをさらに備えることを特徴とする。
【発明の効果】
【０００８】
請求項１に記載した本発明の無線装置によれば、履歴データ保存手段Ａによってガス、防災又は防犯機器４，６の動作状態の内容、および／又は無線装置の無線通信回数データが履歴データとして保存されるので、ガス、防災又は防犯機器４，６の動作状態検出履歴や無線装置の無線通信履歴を保存、管理することができ、履歴データから直接、ガス、防災又は防犯機器４，６の動作状態の内容を認識したり、無線装置の無線通信回数から無線装置自体が異常となった際の原因調査を容易に解析したりすることができる。
【０００９】
また、請求項２に記載した本発明の無線装置によれば、請求項１に記載した本発明の無線装置において、無線による履歴要求信号を外部から送信することで、履歴データ保存手段Ａによって保存されている履歴データが履歴データ送信手段Ｂによって無線通信により送信されるので、履歴データが保存されている要素に物理的に直接接続しなくても、履歴データを容易に外部から取り出すことができる。
【発明を実施するための最良の形態】
【００１０】
以下、本発明の実施形態について図面を参照しながら説明する。
【００１１】
（第１の実施形態）図２は本発明を適用してガスメータとその周辺機器を無線で相互に接続した自動連携システムの一実施形態を示すブロック図、図３は図２の自動連携システムにおける無線子機の構成例を示すブロック図、図４は図２の自動連携システムにおける無線親機の構成例を示すブロック図、図５は図２の自動連携システムにおけるハンディーターミナル（携帯端末装置）の構成例を示すブロック図である。
【００１２】
図２に示す本実施形態の自動連携システムは、ガスメータ１と、ガスメータ１に接続された無線親機２と、無線親機２と特定小電力無線通信方式で通信する後述の無線子機３，５（請求項中の無線装置に相当。）と、無線子機３に接続された火災警報器４（請求項中のガス、防災又は防犯機器に相当。）と、無線子機５に接続されたガス漏れ警報器６（請求項中のガス、防災又は防犯機器に相当。）と、無線親機２や無線子機３，５との間で特定小電力無線通信方式による無線通信を行うハンディーターミナル７とを含む。ガスメータ１と無線親機２は、ユーザ宅の屋外に設置され、無線子機３，５と火災警報器４およびガス漏れ警報器６は、屋内に設置される。また、無線親機２および無線子機３，５は電池で駆動されるように構成されている。
【００１３】
ガスメータ１は、自動漏洩遮断機能付きのガスメータである。自動漏洩遮断機能は、ガスメータにより計測されるガスの流量（使用量）に基づいてガスメータ内部のマイクロコンピュータ（図示せず）により実行されるもので、合計流量遮断機能、増加流量遮断機能、微少流量漏洩遮断機能、ガス漏れ警報器連動遮断機能、火災警報器連動遮断機能等がある。
【００１４】
このうち、合計流量遮断機能は、屋内のガス消費機器によるガスの合計使用量が予め設定された遮断値を超えた場合に、元栓の誤開放やゴムホースの抜け等による大量のガス漏れと判断してガスの供給を遮断するものであり、増加流量遮断機能は、予め登録されている屋内のガス消費機器のうちガス消費量が最も大きい機器の消費量を上回るガス使用量の増加が発生した場合に、元栓の誤開放やゴムホースの抜け等による大量のガス漏れと判断してガスの供給を遮断するものである。
【００１５】
また、微少流量漏洩遮断機能は、予め定められた期間を超える長期間に亘って連続して微少なガス流量が測定された場合に、ゴムホース等の屋内配管に不具合が生じている可能性があると判断してガスの供給を遮断するものであり、ガス漏れ警報器連動遮断機能は、ガス漏れ警報器６においてガス漏れが検知された場合に、ガス漏れ警報器６からの警報信号の入力に連動してガスの供給を遮断するものであり、火災警報器連動遮断機能は、火災警報器４において火災の発生が検知された場合に、火災警報器４からの警報信号の入力に連動してガスの供給を遮断するものである。
【００１６】
このような自動漏洩遮断機能を有するガスメータ１は、その機能を実現するために、自動漏洩遮断機能によりガスの供給を遮断させるための遮断弁（図示せず）を内蔵しており、また、火災を検知した際に火災警報器４が出力する前記警報信号や、ガス漏れを検知した際にガス漏れ警報器６が出力する前記警報信号を、無線子機３，５および無線親機２を介して取り込み認識する機能や、遮断弁によりガスの供給を遮断した際に、その旨を示す遮断信号を無線親機２に出力し、無線親機２を介して無線で外部に出力させる機能を有している。警報信号の取り込み、認識や、遮断信号の外部への出力は、不図示のマイクロコンピュータの制御により実行される。
【００１７】
火災警報器４は、熱センサや煙センサにより火災の発生を検知し前記警報信号を生成、出力する従来公知のものであり、また、ガス漏れ警報器６は、都市ガスやプロパンガスの成分を検出するセンサによりガスを検知し前記警報信号を生成、出力する従来公知のものであって、いずれも、検知時に音声（警報音、警報メッセージ）により報知すると共に警報信号を外部へ出力する機能を内蔵している。
【００１８】
なお、火災警報器４やガス漏れ警報器６の音声報知機能は、自身が火災の発生やガスを検知した場合だけでなく、無線親機２や無線子機３，５を介して外部から入力される信号（例えば、無線親機２に接続されたガスメータ１から出力される後述の遮断信号に基づいた遮断報知信号や、他の無線子機３，５に接続された火災警報器４やガス漏れ警報器６から出力される警報信号に基づいた警報報知信号）によっても作動させることができる。
【００１９】
無線子機３，５は、図３に示すように、通信用高周波回路部ＲＦと変復調処理用デジタル処理回路部ＤＰと制御用マイクロコンピュータ部（以下、「マイコン部」と略記する。）μＣＯＭとをワンチップ化した集積回路ＬＳＩと、火災警報器４やガス漏れ警報器６がそれぞれ接続されるポートＰｉｏと、不揮発性メモリＮＶＭと、通信用高周波回路部ＲＦに接続されたアンテナＡＴとを有しており、ポートＰｉｏと不揮発性メモリＮＶＭと接続検出回路ＣＤＣはマイコン部μＣＯＭに接続されている。
【００２０】
なお、不揮発性メモリＮＶＭには、無線子機３，５が外部との無線通信において使用する自己の識別信号と通信チャネルや、火災警報器４やガス漏れ警報器６が出力する警報信号のパルス波形パターンとそれにより示される警報内容（例えばガス漏れ、火災発生等）とを関連づけたテーブルとが、予め登録されている。また、不揮発性メモリＮＶＭには、警報内容に警報発生時刻等の他の必要事項を加えた警報履歴データを、履歴データとして記憶、蓄積する領域が確保されている。
【００２１】
そして、マイコン部μＣＯＭでは、内部のＲＯＭ（図示せず）に格納された制御プログラムにしたがって、図６のフローチャートで示す処理が実行される。
【００２２】
まず、火災警報器４やガス漏れ警報器６からの警報信号がポートＰｉｏに入力されたか否かを確認し（ステップＳ１）、入力された場合は（ステップＳ１でＹ）、不揮発性メモリＮＶＭに登録されたテーブルを参照して、入力された警報信号のパルス波形パターンから発生した警報内容を判別し（ステップＳ３）、判別した警報内容を時刻等の他の必要事項と共に不揮発性メモリＮＶＭに警報履歴データとして登録した後（ステップＳ５）、判別した警報信号の警報内容を示す警報発生データを、不揮発性メモリＮＶＭに登録された自己の識別情報と共に変復調処理用デジタル処理回路部ＤＰにて変調して通信用高周波回路部ＲＦ乃至アンテナＡＴから、不揮発性メモリＮＶＭに登録された通信チャネルで無線送信させた後（ステップＳ７）、ステップＳ１にリターンする。
【００２３】
これに対して、火災警報器４やガス漏れ警報器６からの警報信号がポートＰｉｏに入力されていない場合は（ステップＳ１でＮ）、後に詳説する無線親機２からの遮断発生データや、他の無線子機３，５からの警報発生データが不揮発性メモリＮＶＭに登録された通信チャネルにおいて、自己の識別情報を含んだ内容でアンテナＡＴ乃至通信用高周波回路部ＲＦで受信され変復調処理用デジタル処理回路部ＤＰにて復調されて入力されたか否かを確認する（ステップＳ９）。
【００２４】
無線親機２からの遮断発生データや、他の無線子機３，５からの警報発生データが入力されていない場合は（ステップＳ９でＮ）、後述するステップＳ１３に進み、入力された場合は（ステップＳ９でＹ）、遮断発生データに示されているガスメータ１の遮断弁によりガスの供給が遮断されたことを、火災警報器４やガス漏れ警報器６において音声出力により報知させるための遮断報知信号や、警報発生データに示されている他の無線子機３，５に接続された火災警報器４やガス漏れ警報器６において警報状態が発生したことを、ポートＰｉｏに接続されている火災警報器４やガス漏れ警報器６おいて音声出力により報知させるための警報報知信号を生成して、ポートＰｉｏから火災警報器４やガス漏れ警報器６に出力した後（ステップＳ１１）、ステップＳ１にリターンする。
【００２５】
また、ステップＳ９において無線親機２からの遮断発生データや、他の無線子機３，５からの警報発生データが入力されていない場合（Ｎ）に進むステップＳ１３では、後に詳説するハンディーターミナル７からの履歴要求信号がアンテナＡＴ乃至通信用高周波回路部ＲＦで受信され変復調処理用デジタル処理回路部ＤＰにて復調されて入力されたか否かを確認し、入力されていない場合は（ステップＳ１３でＮ）、ステップＳ１にリターンする。
【００２６】
一方、ハンディーターミナル７からの履歴要求信号が入力されたならば（ステップＳ１３でＹ）、不揮発性メモリＮＶＭに登録されている警報履歴データを読み出して、これを示す履歴データ信号を生成し、不揮発性メモリＮＶＭに登録された自己の識別情報と共に変復調処理用デジタル処理回路部ＤＰにて変調して通信用高周波回路部ＲＦ乃至アンテナＡＴから、不揮発性メモリＮＶＭに登録された通信チャネルで無線送信させた後（ステップＳ１５）、ステップＳ１にリターンする。
【００２７】
以上の説明からも明らかなように、本実施形態の無線子機３，５では、警報器４，６から入力される警報信号が請求項中の機器の動作状態を示す報知信号に相当し、送信される警報発生データが請求項中の報知データに相当し、請求項中の履歴データ保存手段Ａが、不揮発性メモリＮＶＭと、マイコン部μＣＯＭと、マイコン部μＣＯＭが行う図６のフローチャートにおけるステップＳ３及びステップＳ５の処理とによって構成されており、また、図６中のステップＳ１５が、請求項中の履歴データ送信手段Ｂに対応する処理となっている。また、図６中のステップＳ７が、報知データ送信手段に対応し、ステップＳ９が報知データ受信手段に対応し、ステップＳ１３が履歴要求信号受信手段に対応している。
【００２８】
無線親機２は、図３に示す無線子機３，５と同様に構成されており、図４に示すように、通信用高周波回路部ＲＦと変復調処理用デジタル処理回路部ＤＰとマイコン部μＣＯＭとをワンチップ化した集積回路ＬＳＩと、ガスメータ１が接続されるポートＰｉｏと、不揮発性メモリＮＶＭと、通信用高周波回路部ＲＦに接続されたアンテナＡＴとを有しており、不揮発性メモリＮＶＭはマイコン部μＣＯＭに接続されている。
【００２９】
なお、不揮発性メモリＮＶＭには、無線親機２が外部との無線通信において使用する自己の識別信号と通信チャネルが、予め登録されている。
【００３０】
そして、マイコン部μＣＯＭでは、内部のＲＯＭ（図示せず）に格納された制御プログラムにしたがって、図７のフローチャートで示す処理が実行される。
【００３１】
まず、無線子機３，５や不図示の他の無線子機からの警報発生データが不揮発性メモリＮＶＭに登録された通信チャネルにおいて、警報発生データの出力元の無線子機の識別情報を含んだ内容でアンテナＡＴ乃至通信用高周波回路部ＲＦで受信され変復調処理用デジタル処理回路部ＤＰにて復調されて入力されたか否かを確認する（ステップＳ３１）。
【００３２】
無線子機３，５や不図示の他の無線子機からの警報発生データが入力された場合は（ステップＳ３１でＹ）、その警報発生データ中の警報内容を示す警報報知信号をポートＰｉｏからガスメータ１に出力した後（ステップＳ３３）、ステップＳ３１にリターンし、入力されていない場合は（ステップＳ３１でＮ）、ガスメータ１からの遮断信号がポートＰｉｏに入力されたか否かを確認する（ステップＳ３５）。
【００３３】
ガスメータ１からの遮断信号がポートＰｉｏに入力されていない場合は（ステップＳ３５でＮ）、ステップＳ３１にリターンし、入力された場合は（ステップＳ３５でＹ）、入力された遮断信号の示す遮断内容を表す遮断発生データを、不揮発性メモリＮＶＭに登録された自己の識別情報と共に変復調処理用デジタル処理回路部ＤＰにて変調して通信用高周波回路部ＲＦ乃至アンテナＡＴから、不揮発性メモリＮＶＭに登録された通信チャネルで無線子機３，５や不図示の他の無線子機に無線送信させた後（ステップＳ３７）、ステップＳ３１にリターンする。
【００３４】
尚、図７のフローチャートでは説明を省略しているが、ガスメータ１に接続される無線親機２のマイコン部μＣＯＭは、ハンディーターミナル７の後述する無線ユニット９から送信される検針値要求信号が、自己の識別情報を含んだ内容でアンテナＡＴ乃至通信用高周波回路部ＲＦで受信され変復調処理用デジタル処理回路部ＤＰにて復調されて入力されると、その検針値要求信号をポートＰｉｏからガスメータ１に出力し、かつ、検針値要求信号に呼応してガスメータ１が出力する、現在の検針値を示す検針値信号がポートＰｉｏに入力されると、これを、不揮発性メモリＮＶＭに登録された自己の識別情報と共に変復調処理用デジタル処理回路部ＤＰにて変調して通信用高周波回路部ＲＦ乃至アンテナＡＴから、ハンディーターミナル７の無線ユニット９に向けて無線送信させる処理を行う機能を有している。
【００３５】
前記ハンディーターミナル７は、図５に示すように、ガスメータ１に検針値の出力を要求するメニューや無線子機３，５に、それに接続された火災警報器４やガス漏れ警報器６の警報状態の検出履歴を照会するメニュー等の選択や、詳細な内容の入力に使用するテンキー７１と、テンキー７１により選択させるメニューの表示やテンキー７１により入力される設定内容の確認表示等を行うディスプレイ７３と、前記無線親機２や無線子機３，５と特定小電力無線通信方式で通信する無線ユニット９とを有している。
【００３６】
前記無線ユニット９は、図３に示す無線子機３，５からポートＰｉｏを省略して構成されており、通信用高周波回路部ＲＦと変復調処理用デジタル処理回路部ＤＰとマイコン部μＣＯＭとをワンチップ化した集積回路ＬＳＩと、不揮発性メモリＮＶＭと、通信用高周波回路部ＲＦに接続されたアンテナＡＴとを有しており、テンキー７１、ディスプレイ７３、及び、不揮発性メモリＮＶＭはマイコン部μＣＯＭに接続されていて、テンキー７１の操作に応じたディスプレイ７３の表示は、このマイコン部μＣＯＭによって制御される。
【００３７】
なお、不揮発性メモリＮＶＭには、不図示の顧客管理データベースから取り込んだ、各契約者の住戸に設置、登録されたガスメータ１や火災警報器４、ガス漏れ警報器６に接続されている前記無線親機２や無線子機３，５の識別情報等が、契約者番号等に対応付けて格納されている。
【００３８】
そして、マイコン部μＣＯＭでは、前記無線親機２や無線子機３，５との特定小電力無線通信方式による無線通信に関して、内部のＲＯＭ（図示せず）に格納された制御プログラムにしたがって、図８のフローチャートで示す処理が実行される。
【００３９】
まず、テンキー７１の操作により、ガスメータ１の検針値を収集するメニューが選択されたか否かを確認し（ステップＳ５１）、選択されていない場合は（ステップＳ５１でＮ）、後述するステップＳ６１に進む。
【００４０】
一方、ガスメータ１の検針値を収集するメニューが選択された場合は（ステップＳ５１でＹ）、ディスプレイ７３の表示にしたがって検針作業を行う契約者の契約者番号がテンキー７１の操作により入力されるのを待機し（ステップＳ５３）、入力されたならば（ステップＳ５３でＹ）、入力された契約者番号に対応付けて不揮発性メモリＮＶＭに格納されている、ガスメータ１に接続されている無線親機２の識別情報を含む検針値要求信号を生成し、変復調処理用デジタル処理回路部ＤＰにて変調して通信用高周波回路部ＲＦ乃至アンテナＡＴから無線送信させた後（ステップＳ５５）、無線親機２がガスメータ１から受け取った現在の検針値を含む検針値信号がアンテナＡＴ乃至通信用高周波回路部ＲＦで受信され変復調処理用デジタル処理回路部ＤＰにて復調されて入力されるのを待機する（ステップＳ５７）。
【００４１】
無線親機２からの検針値信号が入力されたならば（ステップＳ５７でＹ）、その検針値信号中に含まれる現在のガスメータ１の検針値を、ステップＳ５３で入力された契約者番号と対応付けて不揮発性メモリＮＶＭに登録した後（ステップＳ５９）、ステップＳ５１にリターンする。
【００４２】
また、ステップＳ５１において、テンキー７１の操作によりガスメータ１の検針値を収集するメニューが選択されていない場合（Ｎ）に進むステップＳ６１では、テンキー７１の操作により火災警報器４やガス漏れ警報器６の警報状態の検出履歴である警報履歴データを要求するメニューが選択されたか否かを確認し、選択されていない場合は（ステップＳ６１でＮ）、ステップＳ５１にリターンする。
【００４３】
一方、火災警報器４やガス漏れ警報器６の警報履歴データを要求するメニューが選択された場合は（ステップＳ６１でＹ）、ディスプレイ７３の表示にしたがって警報履歴データを要求する無線子機３，５が設置されている契約者の契約者番号がテンキー７１の操作により入力されるのを待機し（ステップＳ６３）、入力されたならば（ステップＳ６３でＹ）、入力された契約者番号に対応付けて不揮発性メモリＮＶＭに識別情報が格納されている無線子機３，５のいずれを選択するかが、ディスプレイ７３の表示にしたがってテンキー７１の操作により入力されるのを待機する（ステップＳ６５）。
【００４４】
そして、無線子機３，５のいずれを選択するかがテンキー７１の操作により入力されたならば（ステップＳ６５でＹ）、入力された識別情報を含む履歴要求信号を生成し、変復調処理用デジタル処理回路部ＤＰにて変調して通信用高周波回路部ＲＦ乃至アンテナＡＴから無線送信させた後（ステップＳ６７）、無線子機３，５からの履歴データ信号がアンテナＡＴ乃至通信用高周波回路部ＲＦで受信され変復調処理用デジタル処理回路部ＤＰにて復調されて入力されるのを待機する（ステップＳ６９）。
【００４５】
無線子機３，５からの履歴データ信号が入力されたならば（ステップＳ６９でＹ）、その履歴データ信号中に含まれる警報履歴データをディスプレイ７３に表示させた後（ステップＳ７１）、ステップＳ５１にリターンする。
【００４６】
次に、上述のように構成された本実施形態の自動連係システムの動作（作用）について説明する。
【００４７】
まず、火災警報器４やガス漏れ警報器６において警報状態が検出されると、自身において警報が音声等により出力されると共に、検出した警報状態に応じてパルス波形パターンの異なる警報信号が、警報器の動作状態を表す報知信号として無線子機３，５に出力される。
【００４８】
すると、ポートＰｉｏから警報信号が入力された無線子機３，５において、警報信号のパルス波形パターンによって示される警報内容が不揮発性メモリＮＶＭのテーブルを参照して判別されて、その判別された警報内容を示す警報発生データが報知データとして、不揮発性メモリＮＶＭに登録された通信チャネルを使った無線通信により、ガスメータ１の接続された無線親機２や、火災警報器４やガス漏れ警報器６の接続された無線子機３，５に送信される。
【００４９】
そして、無線親機２からこれに接続されたガスメータ１に警報報知信号が出力され、その警報報知信号に基づいて、ガスメータ１においてガス漏れ警報器連動遮断機能や火災警報器連動遮断機能が実行されると共に、無線子機３，５からこれに接続された他の火災警報器４やガス漏れ警報器６に警報報知信号が出力され、その警報報知信号に基づいて、他の火災警報器４やガス漏れ警報器６において音声報知機能による警報状態の報知動作が行われる。
【００５０】
また、ポートＰｉｏから警報信号が入力されて、警報信号のパルス波形パターンによって示される警報内容が不揮発性メモリＮＶＭのテーブルを参照して判別された無線子機３，５においては、判別された警報内容に時刻等の他の必要事項を加えた警報履歴データが生成されて、不揮発性メモリＮＶＭに登録される。
【００５１】
不揮発性メモリＮＶＭに登録された警報履歴データは、ハンディーターミナル７のテンキー７１の操作により読み出されて、ハンディーターミナル７のディスプレイ７３に表示される。
【００５２】
即ち、ハンディーターミナル７のテンキー７１の操作により火災警報器４やガス漏れ警報器６の警報状態の検出履歴である警報履歴データを要求するメニューが選択され、さらに、契約者番号と識別情報がテンキー７１の操作により特定されると、無線通信により履歴要求信号がハンディーターミナル７の無線ユニット９から、特定された契約者番号の特定された識別情報に対応する、火災警報器４やガス漏れ警報器６の接続された無線子機３，５に向けて出力される。
【００５３】
すると、履歴要求信号を受信した無線子機３，５が内蔵の不揮発性メモリＮＶＭに登録されている火災警報器４やガス漏れ警報器６の警報履歴データを示す履歴データ信号が無線通信により無線子機３，５から送信されて、ハンディーターミナル７の無線ユニット９で受信され、その履歴データ信号に示されている警報履歴データが、ディスプレイ７３に表示される。
【００５４】
なお、ハンディーターミナル７の無線ユニット９で受信された履歴データ信号に示されている警報履歴データは、例えば、後に不図示の顧客管理データベースに供給されたり、あるいは、ハンディーターミナル７がプリンタ（図示せず）を内蔵しているか、外付けしている場合は、そのプリンタから検針値をプリントアウトして契約者に配布される等してもよく、そのようにハンディーターミナル７が構成されていてもよい。
【００５５】
また、ハンディーターミナル７のテンキー７１の操作によりガスメータ１の検針値を収集するメニューが選択され、さらに、契約者番号がテンキー７１の操作により特定されると、無線通信により検針値要求信号がハンディーターミナル７の無線ユニット９から、特定された契約者番号のガスメータ１に接続された無線親機２に向けて出力される。
【００５６】
すると、検針値要求信号を受信した無線親機２がガスメータ１から受け取った現在の検針値を含む検針値信号が無線通信により無線親機２から送信されて、ハンディーターミナル７の無線ユニット９で受信され、その検針値信号にて示されている検針値が、契約者番号と対応付けて不揮発性メモリＮＶＭに登録される。
【００５７】
登録された検針値は、例えば、後に不図示の顧客管理データベースに供給されたり、あるいは、ハンディーターミナル７がプリンタ（図示せず）を内蔵しているか、外付けしている場合は、そのプリンタから検針値をプリントアウトして契約者に配布される等することになる。
【００５８】
さらに、ガスメータ１の不図示の遮断弁が遮断されると、ガスメータ１から遮断信号が出力されて無線親機２に入力され、その遮断信号の示す遮断内容を表す遮断発生データが無線親機２から、不揮発性メモリＮＶＭに登録された通信チャネルを使った無線通信により、火災警報器４やガス漏れ警報器６の接続された無線子機３，５に送信される。
【００５９】
そして、無線子機３，５からこれに接続された他の火災警報器４やガス漏れ警報器６に遮断報知信号が出力され、その遮断報知信号に基づいて、他の火災警報器４やガス漏れ警報器６において音声報知機能による遮断弁の遮断状態の報知動作が行われる。
【００６０】
このように本実施形態によれば、無線子機３，５に接続された火災警報器４やガス漏れ警報器６が警報状態を検出して警報信号を無線子機３，５に出力すると、その警報信号のパルス波形パターンによって示される、例えばガス漏れ、火災発生等の警報内容が無線子機３，５の不揮発性メモリＮＶＭのテーブルを参照して判別されて、その判別された警報内容に時刻等の他の必要事項を加えた警報履歴データが不揮発性メモリＮＶＭに登録されるので、警報内容という発生した警報状態の内容を直接認識できる形式で、火災警報器４やガス漏れ警報器６の動作状態検出履歴を保存、管理することができる。
【００６１】
なお、無線子機３，５の不揮発性メモリＮＶＭに登録されている警報履歴データの読み出しは、必ずしもハンディーターミナル７からの履歴要求信号に呼応した履歴データ信号の無線送信による出力でなくてもよいが、そのように構成すれば、無線子機３，５に物理的に直接通信線を接続したり、それを可能とするための構成を無線子機３，５に設ける必要がないので、有利である。
【００６２】
（第２の実施形態）上述の第１の実施形態では、無線装置において、無線装置に接続される警報器の警報状態の発生履歴を保存することができるように構成されているが、この第２の実施形態では、さらに、無線装置自体の無線通信回数や無線装置に接続される警報器の動作回数も保存することができるように構成されることを特徴とする。この第２の実施形態においては、無線子機３，５の不揮発性メモリＮＶＭには、無線子機３，５への接続機器（火災警報器４またはガス漏れ警報器６）の動作回数と、警報発生データの無線送信回数と、無線親機２や他の無線子機３，５からの無線受信回数と、ハンディターミナル７からの無線受信回数と、履歴データ信号の無線送信回数とを、履歴情報として記憶、蓄積する領域が確保されている。なお、自動連係システムのその他の構成は、第１の実施形態と同じになっている。
【００６３】
図９は、本実施形態を適用した自動連携システムにおける無線子機のマイコン部が内部のＲＯＭに格納された制御プログラムにしたがって実行する処理のフローチャートである。
【００６４】
まず、火災警報器４やガス漏れ警報器６からの警報信号がポートＰｉｏに入力されたか否かを確認し（ステップＳ１）、入力された場合は（ステップＳ１でＹ）、不揮発性メモリＮＶＭに登録されたテーブルを参照して、入力された警報信号のパルス波形パターンから発生した警報内容を判別し（ステップＳ３）、判別した警報内容を時刻等の他の必要事項と共に不揮発性メモリＮＶＭに警報履歴データとして登録する（ステップＳ５）。
【００６５】
次に、無線子機への接続機器（火災警報器４またはガス漏れ警報器６）の動作回数をカウントし（ステップＳ６−１）、カウントした接続機器動作回数を不揮発性メモリＮＶＭに接続機器の履歴データとして登録する（ステップＳ６−２）。この接続機器の動作回数は、ステップＳ１において火災警報器４やガス漏れ警報器６からの警報信号がポートＰｉｏに入力されるたびにカウントされる。したがって、この接続機器の動作回数は、警報信号（報知信号）の入力回数と言い換えても良い。
【００６６】
次に、ステップＳ３で判別した警報信号の警報内容を示す警報発生データを、不揮発性メモリＮＶＭに登録された自己の識別情報と共に変復調処理用デジタル処理回路部ＤＰにて変調して通信用高周波回路部ＲＦ乃至アンテナＡＴから、不揮発性メモリＮＶＭに登録された通信チャネルで無線送信する（ステップＳ７）。次に、警報発生データの無線送信回数をカウントし（ステップＳ８−１）、カウントした無線送信回数を不揮発性メモリＮＶＭに無線子機の履歴データとして登録した後（ステップＳ８−２）、ステップＳ１にリターンする。
【００６７】
これに対して、火災警報器４やガス漏れ警報器６からの警報信号がポートＰｉｏに入力されていない場合は（ステップＳ１でＮ）、後に詳説する無線親機２からの遮断発生データや、他の無線子機３，５からの警報発生データが不揮発性メモリＮＶＭに登録された通信チャネルにおいて、自己の識別情報を含んだ内容でアンテナＡＴ乃至通信用高周波回路部ＲＦで受信され変復調処理用デジタル処理回路部ＤＰにて復調されて入力されたか否かを確認する（ステップＳ９）。
【００６８】
無線親機２からの遮断発生データや、他の無線子機３，５からの警報発生データが入力されていない場合は（ステップＳ９でＮ）、後述するステップＳ１３に進み、入力された場合は（ステップＳ９でＹ）、無線親機２や他の無線子機３，５からの無線受信回数をカウントし（ステップＳ１０−１）、カウントした無線受信回数を不揮発性メモリＮＶＭに無線子機の履歴データとして登録し（ステップＳ１０−２）、次に、遮断発生データに示されているガスメータ１の遮断弁によりガスの供給が遮断されたことを火災警報器４やガス漏れ警報器６において音声出力により報知させるための遮断報知信号や、警報発生データに示されている他の無線子機３，５に接続された火災警報器４やガス漏れ警報器６において警報状態が発生したことをポートＰｉｏに接続されている火災警報器４やガス漏れ警報器６において音声出力により報知させるための警報報知信号を生成して、ポートＰｉｏから火災警報器４やガス漏れ警報器６に出力した後（ステップＳ１１）、ステップＳ１にリターンする。
【００６９】
また、ステップＳ９において無線親機２からの遮断発生データや、他の無線子機３，５からの警報発生データが入力されていない場合（Ｎ）に進むステップＳ１３では、後に詳説するハンディーターミナル７からの履歴要求信号がアンテナＡＴ乃至通信用高周波回路部ＲＦで受信され変復調処理用デジタル処理回路部ＤＰにて復調されて入力されたか否かを確認し、入力されていない場合は（ステップＳ１３でＮ）、ステップＳ１にリターンする。
【００７０】
一方、ハンディーターミナル７からの履歴要求信号が入力されたならば（ステップＳ１３でＹ）、ハンディターミナル７からの履歴要求信号の無線受信回数をカウントし（ステップＳ１４−１）、カウントした無線受信回数を不揮発性メモリＮＶＭに無線子機の履歴データとして登録し（ステップＳ１４−２）、次に、不揮発性メモリＮＶＭに登録されている警報器の警報履歴データと送信回数や受信回数等の無線装置の履歴データとを読み出して、これらを含む履歴データ信号を生成し、不揮発性メモリＮＶＭに登録された自己の識別情報と共に変復調処理用デジタル処理回路部ＤＰにて変調して通信用高周波回路部ＲＦ乃至アンテナＡＴから、不揮発性メモリＮＶＭに登録された通信チャネルで無線送信する（ステップＳ１５）。次に、履歴データ信号の無線送信回数をカウントし（ステップＳ１７−１）、カウントした無線送信回数を不揮発性メモリＮＶＭに無線子機の履歴データとして登録した後（ステップＳ１７−２）、ステップＳ１にリターンする。
【００７１】
上述の本実施形態の無線子機３，５では、警報発生データの無線送信回数および無線受信回数、履歴要求信号の無線受信回数、履歴データ信号の送信回数が、請求項中の無線通信回数に相当する。
【００７２】
このように本実施形態の自動連係システムによれば、無線子機３，５に接続された火災警報器４やガス漏れ警報器６からの警報信号の警報内容に時刻等の他の必要事項を加えた警報履歴データが不揮発性メモリＮＶＭに登録されるのに加えて、接続機器の動作回数や、警報発生データの無線送信回数および無線受信回数、履歴要求信号の無線受信回数および履歴データ信号の無線送信回数などの無線装置の無線通信履歴データも不揮発性メモリＮＶＭに登録されるので、火災警報器４やガス漏れ警報器６の動作状態検出履歴と、それに関連する無線装置自体の無線通信回数を含む履歴データを保存、管理することができ、無線装置が異常となった際の原因調査を容易にすることができる。たとえば、無線装置自体の無線送信回数および無線受信回数の合計回数により、電池の消費に関係する異常状態の解析を行うことができる。また、警報発生データの無線送信回数により、警報器の設置環境が警報状態を発生しやすい環境であるか否かを解析したり、警報器側の異常を間接的に認識し、警報器における警報しきい値が適切か否かを解析したり、センサの劣化等を突き止めたりすることができる。
【００７３】
以上の通り、本発明の実施形態について説明したが、本発明はこれに限らず、種々の変形、応用が可能である。
【００７４】
たとえば、本発明が適用される無線装置に接続される警報器は、本実施形態に示した警報状態の発生時に警報信号を出力するものに限定されず、例えば、内部の回路やセンサの故障状態を定期的に検出するような警報器であってもよく、その場合は、発生した故障内容を示す故障信号を警報器から外部に出力させて、この故障信号に対して、警報信号に対して行ったのと同様の処理を加えて故障状態検出履歴を保存、管理すればよい。
【００７５】
ちなみに、以上に説明した、無線子機３，５における警報状態検出履歴や故障状態検出履歴等の動作状態検出履歴の保存、管理の他、無線親機２や無線子機３，５においては、通信相手との無線通信に異常終了が発生した場合にその履歴を通信異常検出履歴として保存、管理することもできる。
【００７６】
また、本発明が適用される無線装置に接続される接続機器は、警報器に限らず、防犯センサ、防犯中継器、ガスメータ等の、ガス機器、防災機器または防犯機器であっても良い。
【図面の簡単な説明】
【００７７】
【図１】本発明に係る無線装置の基本構成図である。
【図２】本発明を適用してガスメータとその周辺機器を無線で相互に接続した自動連携システムの一実施形態を示すブロック図である。（第１の実施形態）
【図３】図２の自動連携システムにおける無線子機の構成例を示すブロック図である。（第１の実施形態）
【図４】図２の自動連携システムにおける無線親機の構成例を示すブロック図である。（第１の実施形態）
【図５】図２の自動連携システムにおけるハンディーターミナルの構成例を示すブロック図である。（第１の実施形態）
【図６】図３の無線子機のマイコン部が内部のＲＯＭに格納された制御プログラムにしたがって実行する処理のフローチャートである。（第１の実施形態）
【図７】図４の無線親機のマイコン部が内部のＲＯＭに格納された制御プログラムにしたがって実行する処理のフローチャートである。（第１の実施形態）
【図８】図５のハンディーターミナルの無線ユニットのマイコン部が内部のＲＯＭに格納された制御プログラムにしたがって実行する処理のフローチャートである。（第１の実施形態）
【図９】本実施形態を適用した自動連携システムにおける無線子機のマイコン部が内部のＲＯＭに格納された制御プログラムにしたがって実行する処理のフローチャートである。（第２の実施形態）
【符号の説明】
【００７８】
４，６  警報器（ガス、防災又は防犯機器）
Ａ  履歴データ保存手段
Ｂ  履歴データ送信手段
【図１】
2007087376.tif 000003
【図２】
2007087376.tif 000004
【図３】
2007087376.tif 000005
【図４】
2007087376.tif 000006
【図５】
2007087376.tif 000007
【図６】
2007087376.tif 000008
【図７】
2007087376.tif 000009
【図８】
2007087376.tif 000010
【図９】
2007087376.tif 000011